(57)【要約】【課題】  継目に紐材が侵入することを抑制することができるコムプレート具を提供する。【解決手段】  コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される第１櫛板具及び第２櫛板具を備え、コムプレート具は、継目に紐材が侵入することを抑制するために、継目の少なくとも第１横方向の内側端部を、上下方向で覆う侵入抑制手段を備える。【選択図】  図９
2020147435.tif 000002
【特許請求の範囲】
【請求項１】
マンコンベヤの乗降床の端部に配置されるコムプレート具において、
第１横方向の内側に向けて突出する櫛歯を有し、互いの間で継目を形成するように、第１横方向と直交する第２横方向に並列される第１櫛板具及び第２櫛板具を備え、
前記コムプレート具は、前記継目に紐材が侵入することを抑制するために、前記継目の少なくとも第１横方向の内側端部を、上下方向で覆う侵入抑制手段を備える、コムプレート具。
【請求項２】
前記第１櫛板具は、前記第２櫛板具に向けて第２横方向に突出する第１突出部を備え、
前記第２櫛板具は、前記第１櫛板具に向けて第２横方向に突出する第２突出部を備え、
前記第１突出部及び前記第２突出部は、それぞれ前記侵入抑制手段を構成するように、上下方向視で重なる、請求項１に記載のコムプレート具。
【請求項３】
前記継目の第１横方向の内側端部は、第１横方向の外側向き視で、屈曲する、請求項２に記載のコムプレート具。
【請求項４】
前記侵入抑制手段を構成するために、前記継目を上下方向で覆うように配置され、前記第１櫛板具及び前記第２櫛板具とそれぞれ分離可能な侵入抑制体を備える、請求項１に記載のコムプレート具。
【請求項５】
前記第１櫛板具及び前記第２櫛板具を固定するプレート体を備え、
前記侵入抑制体は、前記第１櫛板具及び前記第２櫛板具よりも下方に配置され、前記第１櫛板具及び前記第２櫛板具と前記プレート部とに挟み込まれる、請求項４に記載のコムプレート具。
【請求項６】
請求項１〜５の何れか１項に記載のコムプレート具を備える、マンコンベヤ。
【請求項７】
請求項１〜５の何れか１項に記載のコムプレート具の前記第１櫛板具及び前記第２櫛板具の少なくとも一方に用いられる、櫛板具。
【発明の詳細な説明】
【技術分野】
【０００１】
本発明は、コムプレート具、マンコンベヤ及び櫛板具に関する。
【背景技術】
【０００２】
従来、例えば、コムプレート具は、第１横方向の内側に向けて突出する櫛歯を有する第１櫛板具及び第２櫛板具を備えている（例えば、特許文献１及び２）。そして、第１櫛板具及び第２櫛板具は、第１横方向と直交する第２横方向に並列されている。これにより、第１櫛板具及び第２櫛板具の間に、継目が形成されるため、紐材が継目に侵入する場合がある。
【先行技術文献】
【特許文献】
【０００３】
【特許文献１】特開２０１７−１０５６１０号公報
【特許文献２】特開２００９−２８０３６０号公報
【発明の概要】
【発明が解決しようとする課題】
【０００４】
そこで、課題は、継目に紐材が侵入することを抑制することができるコムプレート具、マンコンベヤ及び櫛板具を提供することである。
【課題を解決するための手段】
【０００５】
コムプレート具は、マンコンベヤの乗降床の端部に配置されるコムプレート具において、第１横方向の内側に向けて突出する櫛歯を有し、互いの間で継目を形成するように、第１横方向と直交する第２横方向に並列される第１櫛板具及び第２櫛板具を備え、前記コムプレート具は、前記継目に紐材が侵入することを抑制するために、前記継目の少なくとも第１横方向の内側端部を、上下方向で覆う侵入抑制手段を備える。
【０００６】
また、コムプレート具においては、前記第１櫛板具は、前記第２櫛板具に向けて第２横方向に突出する第１突出部を備え、前記第２櫛板具は、前記第１櫛板具に向けて第２横方向に突出する第２突出部を備え、前記第１突出部及び前記第２突出部は、それぞれ前記侵入抑制手段を構成するように、上下方向視で重なる、という構成でもよい。
【０００７】
また、コムプレート具においては、前記継目の第１横方向の内側端部は、第１横方向の外側向き視で、屈曲する、という構成でもよい。
【０００８】
また、コムプレート具は、前記侵入抑制手段を構成するために、前記継目を上下方向で覆うように配置され、前記第１櫛板具及び前記第２櫛板具とそれぞれ分離可能な侵入抑制体を備える、という構成でもよい。
【０００９】
また、コムプレート具は、前記第１櫛板具及び前記第２櫛板具を固定するプレート体を備え、前記侵入抑制体は、前記第１櫛板具及び前記第２櫛板具よりも下方に配置され、前記第１櫛板具及び前記第２櫛板具と前記プレート部とに挟み込まれる、という構成でもよい。
【００１０】
また、マンコンベヤは、前記のコムプレート具を備える。
【００１１】
また、櫛板具は、前記のコムプレート具の前記第１櫛板具及び前記第２櫛板具の少なくとも一方に用いられる。
【図面の簡単な説明】
【００１２】
【図１】図１は、一実施形態に係るマンコンベヤの概要図である。
【図２】図２は、同実施形態に係るマンコンベヤの乗降部の平面図である。
【図３】図３は、同実施形態に係るコムプレート具の全体平面図である。
【図４】図４は、図３のIV−IV線拡大断面図である。
【図５】図５は、同実施形態に係るコムプレート具の要部平面図である。
【図６】図６は、図５のVI−VI線拡大断面図である。
【図７】図７は、図５のVII−VII線拡大断面図である。
【図８】図８は、図６のVIII−VIII線拡大断面図である。
【図９】図９は、同実施形態に係るコムプレート具の第１横方向の外側向き視の要部図である。
【図１０】図１０は、他の実施形態に係るコムプレート具の要部平面図である。
【図１１】図１１は、図１０のＸＩ−ＸＩ線拡大断面図である。
【図１２】図１２は、図１１のＸII−ＸII線拡大断面図である。
【図１３】図１３は、さらに他の実施形態に係るコムプレート具の要部平面図である。
【図１４】図１４は、図１３のＸIV−ＸIV線拡大断面図である。
【図１５】図１５は、図１４のＸＶ−ＸＶ線拡大断面図である。
【図１６】図１６は、さらに他の実施形態に係るコムプレート具の要部縦断面図である。
【図１７】図１７は、同実施形態に係るコムプレート具の第１横方向の外側向き視の要部図である。
【図１８】図１８は、さらに他の実施形態に係るコムプレート具の要部縦断面図である。
【図１９】図１９は、同実施形態に係るコムプレート具の第１横方向の外側向き視の要部図である。
【図２０】図２０は、さらに他の実施形態に係るコムプレート具の要部平面図である。
【図２１】図２１は、図２０のＸＸＩ−ＸＸＩ線拡大断面図である。
【発明を実施するための形態】
【００１３】
以下、マンコンベヤ、コムプレート具及び櫛板具における一実施形態について、図１〜図９を参照しながら説明する。なお、各図（図１０〜図２１も同様）において、図面の寸法比と実際の寸法比とは、必ずしも一致しておらず、また、各図面の間での寸法比も、必ずしも一致していない。
【００１４】
図１に示すように、本実施形態に係るマンコンベヤ１０は、躯体（例えば、梁）に設置される構造体１１と、人を第１横方向Ｄ１へ搬送する搬送部１２と、搬送部１２を第２横方向Ｄ２で挟むように配置される一対の欄干部１３，１３（図１においては、一つのみを図示している）とを備えている。また、マンコンベヤ１０は、搬送部１２及び欄干部１３を駆動させる駆動部１４を備えている。
【００１５】
図１において、第１横方向Ｄ１は、水平方向と平行な方向であって、前後方向Ｄ１といい、第２横方向Ｄ２は、水平方向と平行な方向で且つ第１横方向Ｄ１と直交する方向であって、幅方向Ｄ２といい、第３方向Ｄ３は、鉛直方向と平行な方向であって、上下方向Ｄ３という。なお、第１横方向Ｄ１において、内側は、マンコンベヤ１０の第１横方向Ｄ１の中心に近い側となり、外側は、マンコンベヤ１０の第１横方向Ｄ１の中心から遠い側となる。
【００１６】
また、本実施形態に係るマンコンベヤ１０は、人を搬送するために、踏面が階段状になるエスカレータであるが、斯かる構成に限られない。例えば、マンコンベヤ１０は、人を搬送するために、踏面が平面状となる移動歩道（動く歩道）であってもよい。
【００１７】
搬送部１２は、駆動部１４に駆動されることによって無端回転する環状の走行部（例えば、チェーン）１２ａと、走行部１２ａに対して回転可能に接続され、人が乗る踏面を有する複数のステップ１２ｂとを備えている。走行部１２ａは、第２横方向Ｄ２に離れて一対設けられている（図１においては、一つのみ図示している）。そして、複数のステップ１２ｂは、一対の走行部１２ａ，１２ａの間に配置され、それぞれの走行部１２ａに対して回転可能に接続されている。
【００１８】
欄干部１３は、駆動部１４に駆動されることによって無端回転する環状の手摺ベルト１３ａと、手摺ベルト１３ａを支持するベルト支持部１３ｂとを備えている。また、欄干部１３は、ベルト支持部１３ｂの下部を覆うカバー部１３ｃを備えている。
【００１９】
駆動部１４は、ステップ１２ｂが反転するように、走行部１２ａが巻き掛けられる一対の回転部（例えば、スプロケット）１４ａ，１４ａと、回転部１４ａを回転させる駆動源（例えば、モータ）１４ｂとを備えている。なお、回転部１４ａは、構造体１１に回転可能に接続されている。
【００２０】
構造体１１は、各構成１２〜１４を支持している。また、構造体１１は、第１横方向Ｄ１のそれぞれの端部に、機械室１１ａ，１１ａを備えている。具体的には、構造体１１は、マンコンベヤ１０の各乗降部１０ａの下方に、機械室１１ａ，１１ａを備えている。また、マンコンベヤ１０は、各乗降部１０ａの床を構成する乗降床１５を備えている。乗降床１５は、各機械室１１ａ，１１ａを上方から覆うように、構造体１１の上に設置されている。
【００２１】
乗降床１５は、乗降部１０ａの床を構成するために、図２に示すように、構造体１１の上に設置される複数の床プレート具１５ａを備えている。なお、床プレート具１５ａの個数は、特に限定されないが、本実施形態においては、三つとしている。また、乗降床１５は、第１横方向Ｄ１の内側端部に配置されるコムプレート具１を備えている。
【００２２】
床プレート具１５ａは、欄干部１３が設置されている状態において、構造体１１に対して着脱可能である一方で、コムプレート具１は、欄干部１３が設置されている状態において、構造体１１に対して着脱不能である（なお、後述する「櫛板具」は、着脱可能である）。したがって、マンコンベヤ１０を保守及び点検する際に、床プレート具１５ａは、構造体１１から取り外され、コムプレート具１は、構造体１１から取り外されない。
【００２３】
また、床プレート具１５ａは、例えば、ボルト及びナットのような固定材によって、構造体１１に固定されていない。即ち、各床プレート具１５ａは、単に、構造体１１の上に載せられているだけであって、自重によって、構造体１１の上に設置されている。なお、床プレート具１５ａは、固定材によって、構造体１１に不動に固定されていてもよい。
【００２４】
図３及び図４に示すように、コムプレート具１は、平板状に形成されるプレート体２と、プレート体２の第１横方向Ｄ１の内側端部に着脱可能な複数の櫛板具３と、櫛板具３をプレート体２に固定する固定具４とを備えている。なお、コムプレート具１は、ボルト及びナットのような固定材によって、構造体１１（図２参照）に不動に固定されている。
【００２５】
プレート体２は、平板状に形成される本体部２１と、本体部２１の第１横方向Ｄ１の内側端部に連接され、複数の櫛板具３を下方から支持する支持部２２とを備えている。なお、支持部２２の厚みは、本体部２１の厚みよりも、薄くなっている。
【００２６】
櫛板具３は、プレート体２の支持部２２に固定される板状のベース部３１と、ベース部３１から第１横方向Ｄ１の内側に向けて突出する複数の櫛歯３２とを備えている。複数の櫛歯３２は、ステップ１２ｂ（図２参照）の踏面の凹凸と、非接触状態で噛み合うように、第２横方向Ｄ２に並列されている。なお、櫛板具３の個数は、複数であれば、特に限定されないが、本実施形態においては、コムプレート具１は、櫛板具３を七つ備えている。また、櫛歯３２の個数は、特に限定されない。
【００２７】
固定具４は、特に限定されないが、本実施形態においては、雄ネジ材（例えば、ボルト）としている。そして、櫛板具３のベース部３１は、固定具４に挿入される孔部３３を備えており、プレート体２の支持部２２は、固定具４のネジ部４１と螺合するネジ部（雌ネジ）２３を備えている。これにより、固定具４の頭部４２がベース部３１を止めることによって、櫛板具３は、プレート体２に固定されている。
【００２８】
なお、プレート体２及び櫛板具３の材質は、特に限定されないが、プレート体２の強度は、櫛板具３の強度よりも、大きくなっていることが好ましい。これにより、例えば、プレート体２は、金属で形成されていてもよく、また、例えば、櫛板具３は、硬質樹脂で形成されていてもよい。
【００２９】
ここで、隣り合う二つの櫛板具３，３の間で形成される継目５の構造について、図５〜図９を参照しながら説明する。以下、二つの櫛板具３，３は、区別される際に、それぞれ第１櫛板具３ａ及び第２櫛板具３ｂと呼ばれる。
【００３０】
図５〜図８に示すように、第１櫛板具３ａと第２櫛板具３ｂとが、第２横方向Ｄ２で並列されることによって、コムプレート具１は、第１櫛板具３ａと第２櫛板具３ｂとの間で、継目５を形成している。なお、継目５とは、第１櫛板具３ａと第２櫛板具３ｂとが接して形成される継目だけでなく、第１櫛板具３ａと第２櫛板具３ｂとの間に隙間を有して形成される継目も含む。
【００３１】
第１櫛板具３ａは、ベース部３１から第２櫛板具３ｂに向けて第２横方向Ｄ２に突出する第１突出部３４を備えており、第２櫛板具３ｂは、ベース部３１から、第１櫛板具３ａに向けて第２横方向Ｄ２に突出する第２突出部３５を備えている。なお、第１櫛板具３ａは、第１突出部３４を一つ備えており、第２櫛板具３ｂは、第２突出部３５を一つ備えている。
【００３２】
これにより、第１突出部３４及び第２突出部３５の厚み（上下方向Ｄ３の寸法）を確保することができるため、第１突出部３４及び第２突出部３５の強度が低下することを抑制することができる。そして、第１突出部３４と第２突出部３５とは、上下方向Ｄ３視で、重なっている。なお、第１突出部３４は、第２突出部３５よりも、上方に配置されている。
【００３３】
これにより、継目５は、第１突出部３４の端面と第２櫛板具３ｂのベース部３１の側面との間で形成される第１継目５１と、第２突出部３５の端面と第１櫛板具３ａのベース部３１の側面との間で形成される第２継目５２と、第１突出部３４と第２突出部３５との間で形成される第３継目５３とから成る。そして、第１継目５１は、第２突出部３５に下方から覆われ、第２継目５２は、第１突出部３４に上方から覆われ、第３継目５３は、第１突出部３４に上方から覆われ、且つ、第２突出部３５に下方から覆われている。
【００３４】
このように、第１突出部３４及び第２突出部３５は、継目５を上下方向ｄ３で覆っている。なお、第１突出部３４は、第１櫛板具３ａのベース部３１の第１横方向Ｄ１の全長に亘って、設けられており、第２突出部３５は、第２櫛板具３ｂのベース部３１の第１横方向Ｄ１の全長に亘って、設けられている。これにより、継目５は、櫛歯３２，３２間に配置される凹部３６から、第１横方向Ｄ１の外側に向けて延びている。
【００３５】
ところで、図９に示すように、例えば、靴紐などの紐材Ｘ１が、櫛板具３ａ，３ｂとステップ１２ｂ（図２参照）との間に入り込んで、凹部３６に侵入した場合には、紐材Ｘ１に張力が働く。これにより、紐材Ｘ１は、上下方向Ｄ３に沿って直線状に伸び、第１横方向Ｄ１の外側に向けて引っ張られる。そして、紐材Ｘ１は、継目５に押し当てられる。
【００３６】
それに対して、第１突出部３４及び第２突出部３５が、上下方向ｄ３で重なっているため、継目５の第１横方向Ｄ１の内側端部５５は、第１横方向Ｄ１の外側向き視で（即ち、内側から外側に向けて見た際に）、屈曲している。具体的には、継目５の第１横方向Ｄ１の内側端部５５は、第１横方向Ｄ１の外側向き視で、第１継目５１及び第３継目５３間と、第２継目５２及び第３継目５３間とに、それぞれ屈曲部５４を備えている。
【００３７】
これにより、張力が働いている紐材Ｘ１が、継目５と同じように屈曲することはないため、継目５の第１横方向Ｄ１の内側端部５５から、紐材Ｘ１が侵入しようとしても、第１突出部３４及び第２突出部３５は、当該侵入を阻止する。このように、第１突出部３４及び第２突出部３５は、継目５に紐材Ｘ１が侵入することを抑制する侵入抑制手段１ａを構成している。
【００３８】
なお、上方側の乗降床１５のコムプレート具１について、説明したが、侵入抑制手段１ａは、下方側の乗降床１５のコムプレート具１にも、備えられている、という構成でもよい。即ち、一対の乗降床１５のコムプレート具１のうち、少なくとも一方が、侵入抑制手段１ａを備えている、という構成であればよい。
【００３９】
また、所定の隣り合う二つの櫛板具３ａ，３ｂについて、説明したが、侵入抑制手段１ａは、全ての隣り合う二つの櫛板具３ａ，３ｂ間で形成される継目５に対して、設けられている、という構成でもよい。即ち、侵入抑制手段１ａは、複数の、隣り合う二つの櫛板具３ａ，３ｂのうち、少なくとも一つの、隣り合う二つの櫛板具３ａ，３ｂ間で形成される継目５に対して、設けられている、という構成であればよい。
【００４０】
以上より、本実施形態に係るマンコンベヤ１０は、コムプレート具１を備える。
【００４１】
そして、本実施形態に係るコムプレート具１は、マンコンベヤ１０の乗降床１５の端部に配置されるコムプレート具１において、第１横方向Ｄ１の内側に向けて突出する櫛歯３２を有し、互いの間で継目５を形成するように、第１横方向Ｄ１と直交する第２横方向Ｄ２に並列される第１櫛板具３ａ及び第２櫛板具３ｂを備え、前記コムプレート具１は、前記継目５に紐材Ｘ１が侵入することを抑制するために、前記継目５の少なくとも第１横方向Ｄ１の内側端部５５を、上下方向Ｄ３で覆う侵入抑制手段１ａを備える。
【００４２】
そして、本実施形態に係る櫛板具３は、前記のコムプレート具１の前記第１櫛板具３ａ及び前記第２櫛板具３ｂの少なくとも一方に用いられる。
【００４３】
斯かる構成によれば、侵入抑制手段１ａは、継目５の少なくとも第１横方向Ｄ１の内側端部５５を、上下方向Ｄ３で覆っている。これにより、継目５の第１横方向Ｄ１の内側端部５５から、紐材Ｘ１が侵入しようとしても、侵入抑制手段１ａが当該侵入を阻止する。したがって、継目５に紐材Ｘ１が侵入することを抑制することができる。
【００４４】
また、本実施形態に係るコムプレート具１においては、前記第１櫛板具３ａは、前記第２櫛板具３ｂに向けて第２横方向Ｄ２に突出する第１突出部３４を備え、前記第２櫛板具３ｂは、前記第１櫛板具３ａに向けて第２横方向Ｄ２に突出する第２突出部３５を備え、前記第１突出部３４及び前記第２突出部３５は、それぞれ前記侵入抑制手段１ａを構成するように、上下方向Ｄ３視で重なる、という構成である。
【００４５】
斯かる構成によれば、第１櫛板具３ａの第１突出部３４は、第２櫛板具３ｂに向けて第２横方向Ｄ２に突出し、第２櫛板具３ｂの第２突出部３５は、第１櫛板具３ａに向けて第２横方向Ｄ２に突出している。そして、第１突出部３４及び第２突出部３５は、上下方向Ｄ３視で重なっている。これにより、第１突出部３４は、第１櫛板具３ａ及び第２突出部３５間を上下方向Ｄ３で覆う侵入抑制手段１ａを構成し、第２突出部３５は、第２櫛板具３ｂ及び第１突出部３４間を上下方向Ｄ３で覆う侵入抑制手段１ａを構成する。
【００４６】
また、本実施形態に係るコムプレート具１においては、前記継目５の第１横方向Ｄ１の内側端部５５は、第１横方向Ｄ１の外側向き視で、屈曲する、という構成である。
【００４７】
斯かる構成によれば、継目５に紐材Ｘ１が侵入しようとする場合に、紐材Ｘ１に張力が働くため、紐材Ｘ１が上下方向Ｄ３に沿って直線状に伸びることに対して、継目５の第１横方向Ｄ１の内側端部５５は、第１横方向Ｄ１の外側向き視で、屈曲している。これにより、紐材Ｘ１の形状が、継目５の形状と異なるため、継目５に紐材Ｘ１が侵入することを効果的に抑制することができる。
【００４８】
なお、マンコンベヤ１０、コムプレート具１及び櫛板具３は、上記した実施形態の構成に限定されるものではなく、また、上記した作用効果に限定されるものではない。また、マンコンベヤ１０、コムプレート具１及び櫛板具３は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００４９】
（１）上記実施形態に係るコムプレート具１においては、侵入抑制手段１ａは、第１櫛板具３ａの第１突出部３４と、第２櫛板具３ｂの第２突出部３５とによって、構成されている、という構成である。しかしながら、コムプレート具１は、斯かる構成に限られない。例えば、図１０〜図１５に示すように、コムプレート具１は、第１櫛板具３ａ及び第２櫛板具３ｂとそれぞれ分離可能な侵入抑制体６を備えている、という構成でもよい。
【００５０】
図１０〜図１５に係るコムプレート具１は、前記侵入抑制手段６ａを構成するために前記継目５を上下方向Ｄ３で覆うように配置されて且つ前記第１櫛板具３ａ及び前記第２櫛板具３ｂとそれぞれ分離可能な侵入抑制体６を備える、という構成である。
【００５１】
斯かる構成によれば、侵入抑制体６は、第１櫛板具３ａ及び第２櫛板具３ｂとそれぞれ分離可能である。そして、侵入抑制体６が継目５を上下方向Ｄ３で覆うように配置されているため、侵入抑制体６は、侵入抑制手段６ａを構成する。
【００５２】
また、図１０〜図１５に係るコムプレート具１においては、前記第１櫛板具３ａ及び前記第２櫛板具３ｂを固定するプレート体２を備え、前記侵入抑制体６は、前記第１櫛板具３ａ及び前記第２櫛板具３ｂよりも下方に配置され、前記第１櫛板具３ａ及び前記第２櫛板具３ｂと前記プレート部２とに挟み込まれる、という構成である。
【００５３】
斯かる構成によれば、侵入抑制体６は、第１櫛板具３ａ及び第２櫛板具３ｂよりも、下方に配置されている。そして、第１櫛板具３ａ及び第２櫛板具３ｂとプレート体２とが、侵入抑制体６を挟み込んでいるため、侵入抑制体６を安定して保持することができる。
【００５４】
（１−１）図１０〜図１２に係るコムプレート具１においては、継目５は、櫛歯３２，３２間に配置される凹部３６から、第１横方向Ｄ１の外側に向けて直線状に延びている。そして、第１櫛板具３ａ及び第２櫛板具３ｂは、それぞれ下部に、侵入抑制体６を収容する凹状の収容部３７を備えている。
【００５５】
侵入抑制体６は、板状に形成されている。なお、侵入抑制体６の材質は、特に限定されないが、例えば、侵入抑制体６は、櫛板具３と同じ材質、例えば、硬質樹脂で形成されていてもよい。
【００５６】
そして、侵入抑制体６は、第１櫛板具３ａ及び第２櫛板具３ｂのそれぞれの収容部３７とプレート体２の支持部２２とによって、挟み込まれている。そして、侵入抑制体６は、侵入抑制手段６ａを構成するために、継目５を下方から覆っている。なお、侵入抑制体６は、図示していない孔部を備え、固定具４は、当該孔部とベース部３１の孔部３３（図１０〜図１２において図示していない）に挿入されている。
【００５７】
なお、図１０〜図１２に係るコムプレート具１においては、侵入抑制体６は、継目５を下方から覆っている、という構成であるが、斯かる構成に限られない。例えば、第１櫛板具３ａ及び第２櫛板具３ｂは、それぞれ上部に、侵入抑制体６を収容する凹状の収容部３７を備え、侵入抑制体６は、継目５を上方から覆っている、という構成でもよい。
【００５８】
また、図１０〜図１２に係る侵入抑制体６の第２横方向Ｄ２の寸法においては、第１横方向Ｄ１の内側の寸法は、第１横方向Ｄ１の外側の寸法よりも、小さい、という構成であるが、斯かる構成に限られない。例えば、侵入抑制体６の第２横方向Ｄ２の寸法は、第１横方向Ｄ１の全長に亘って、同じである、という構成でもよい。
【００５９】
また、図１０〜図１２に係る侵入抑制体６は、櫛板具３及びプレート体２に分離可能である、という構成であるが、斯かる構成に限られない。例えば、プレート体２（例えば、支持部２２）は、侵入抑制体６を構成する、という構成でもよい。即ち、プレート体２（例えば、支持部２２）は、継目５の第１横方向Ｄ１の内側端部５５まで延びており、継目５の第１横方向Ｄ１の内側端部５５を下方から覆う、という構成でもよい。
【００６０】
（１−２）図１３〜図１５に係るコムプレート具１においては、継目５は、櫛歯３２，３２間に配置される凹部３６から、第１横方向Ｄ１の外側に向けて直線状に延びている。そして、侵入抑制体６は、シート状に形成されている。なお、侵入抑制体６の材質は、特に限定されないが、例えば、侵入抑制体６は、金属（例えば、アルミ）又は樹脂（例えば、ナイロン）で形成されていてもよい。
【００６１】
そして、侵入抑制体６は、第１櫛板具３ａ及び第２櫛板具３ｂのそれぞれの下部とプレート体２の支持部２２とによって、挟み込まれている。そして、侵入抑制体６は、侵入抑制手段６ａを構成するために、継目５を下方から覆っている。なお、侵入抑制体６は、第１櫛板具３ａ及び第２櫛板具３ｂとの間に、接着層又は粘着層を介在させていてもよい。
【００６２】
なお、図１３〜図１５に係るコムプレート具１においては、侵入抑制体６は、第１櫛板具３ａ及び第２櫛板具３ｂのそれぞれの下部に接し、継目５を下方から覆っている、という構成であるが、斯かる構成に限られない。例えば、侵入抑制体６は、第１櫛板具３ａ及び第２櫛板具３ｂのそれぞれの上部に接し、継目５を上方から覆っている、、という構成でもよい。
【００６３】
（２）また、上記実施形態に係るコムプレート具１においては、第１櫛板具３ａは、第１突出部３４を一つ備え、第２櫛板具３ｂは、第２突出部３５を一つ備えている、という構成である。しかしながら、コムプレート具１は、斯かる構成に限られない。例えば、図１６及び図１７に示すように、第１櫛板具３ａは、第１突出部３４を二つ備え、第２櫛板具３ｂは、第２突出部３５を一つ備えている、という構成でもよい。即ち、第１突出部３４及び第２突出部３５の個数は、それぞれ特に限定されない。
【００６４】
図１６及び図１７に示すように、二つの第１突出部３４，３４は、上下方向Ｄ３において、第２突出部３５を挟んでいる。また、図１７に示すように、継目５の第１横方向Ｄ１の内側端部５５は、第１横方向Ｄ１の外側向き視で、屈曲部５４を四つ備えている。なお、屈曲部５４の個数は、特に限定されない。
【００６５】
（３）また、上記実施形態に係るコムプレート具１においては、継目５の第１横方向Ｄ１の内側端部５５は、第１横方向Ｄ１の外側向き視で、屈曲する、という構成である。しかしながら、コムプレート具１は、斯かる構成が好ましいものの、斯かる構成に限られない。例えば、図１８及び図１９に示すように、継目５の第１横方向Ｄ１の内側端部５５は、第１横方向Ｄ１の外側向き視で、屈曲していない、即ち、上下方向Ｄ３に対して傾斜するような直線状に形成されている、という構成でもよい。
【００６６】
図１８及び図１９に係る構成においては、第１突出部３４は、継目５を、第２横方向Ｄ２の全長に亘って上方から覆い、第２突出部３５は、継目５を、第２横方向Ｄ２の全長に亘って、下方から覆っている。なお、図１８及び図１９に係る構成においては、継目５の第１横方向Ｄ１の内側端部５５が上下方向Ｄ３に対して傾斜する角度θ１は、１５°以上あることが好ましく、また、３０°以上あることがより好ましく、また、４５°以上あることがさらに好ましい。
【００６７】
（４）また、上記実施形態に係るコムプレート具１においては、突出部３４，３５は、櫛板具３ａ，３ｂのベース部３１の第１横方向Ｄ１の全長に亘って、設けられている、という構成である。しかしながら、コムプレート具１は、斯かる構成に限られない。例えば、図２０及び図２１に示すように、突出部３４，３５は、櫛板具３ａ，３ｂのベース部３１の第１横方向Ｄ１の内側端部のみに、設けられている、という構成でもよい。
【００６８】
図２０及び図２１に係る構成によれば、第１突出部３４及び第２突出部３５は、侵入抑制手段１ａを構成し、侵入抑制手段１ａは、継目５の第１横方向Ｄ１の内側端部５５を、上下方向Ｄ３で覆っている。斯かる構成によれば、継目５の第１横方向Ｄ１の内側端部５５から、紐材Ｘ１が侵入しようとしても、侵入抑制手段１ａが当該侵入を阻止する。これにより、継目５に紐材Ｘ１が侵入することを抑制することができる。
【００６９】
（５）また、上記実施形態に係るコムプレート具１においては、継目５は、櫛歯３２，３２間に配置される凹部３６から、第１横方向Ｄ１の外側に向けて延びている、という構成である。しかしながら、コムプレート具１は、斯かる構成に限られない。例えば、継目５は、櫛歯３２から、第１横方向Ｄ１の外側に向けて延びている、という構成でもよい。
【００７０】
（６）また、上記実施形態に係るコムプレート具１においては、第１櫛板具３ａ及び第２櫛板具３ｂは、それぞれプレート体２に対して着脱可能である、という構成である。しかしながら、コムプレート具１は、斯かる構成に限られない。例えば、第１櫛板具３ａ及び第２櫛板具３ｂのうち、一方は、プレート体２に対して着脱可能であって、他方は、プレート体２に対して着脱不能である、という構成でもよい。
【符号の説明】
【００７１】
１…コムプレート具、１ａ…侵入抑制手段、２…プレート体、３…櫛板具、３ａ…第１櫛板具、３ｂ…第２櫛板具、４…固定具、５…継目、６…侵入抑制体、６ａ…侵入抑制手段、１０…マンコンベヤ、１０ａ…乗降部、１１…構造体、１１ａ…機械室、１２…搬送部、１２ａ…走行部、１２ｂ…ステップ、１３…欄干部、１３ａ…手摺ベルト、１３ｂ…ベルト支持部、１３ｃ…カバー部、１４…駆動部、１４ａ…回転部、１４ｂ…駆動源、１５…乗降床、１５ａ…床プレート具、２１…本体部、２２…支持部、２３…ネジ部、３１…ベース部、３２…櫛歯、３３…孔部、３４…第１突出部、３５…第２突出部、３６…凹部、３７…収容部、４１…ネジ部、４２…頭部、５１…第１継目、５２…第２継目、５３…第３継目、５４…屈曲部、５５…内側端部、Ｄ１…第１横方向、Ｄ２…第２横方向、Ｄ３…上下方向、Ｘ１…紐材
【図１】
2020147435.tif 000003
【図２】
2020147435.tif 000004
【図３】
2020147435.tif 000005
【図４】
2020147435.tif 000006
【図５】
2020147435.tif 000007
【図６】
2020147435.tif 000008
【図７】
2020147435.tif 000009
【図８】
2020147435.tif 000010
【図９】
2020147435.tif 000011
【図１０】
2020147435.tif 000012
【図１１】
2020147435.tif 000013
【図１２】
2020147435.tif 000014
【図１３】
2020147435.tif 000015
【図１４】
2020147435.tif 000016
【図１５】
2020147435.tif 000017
【図１６】
2020147435.tif 000018
【図１７】
2020147435.tif 000019
【図１８】
2020147435.tif 000020
【図１９】
2020147435.tif 000021
【図２０】
2020147435.tif 000022
【図２１】
2020147435.tif 000023